(57)【要約】      （修正有）【課題】使用者に最適なボール打撃具を提供できる方法を提供する。【解決手段】（１）重量及び重心を変更でき且つ遠心力を計測できる機能を有する測定用ボール打撃具を準備する工程、（２）被験者が重量及び重心を変更しつつ前記測定用ボール打撃具を使用することにより、最大遠心力をもたらす重量及び重心を決定する工程、及び（３）前記決定した重量及び重心に基づいて、ボール打撃具を製造する工程、から成る、ボール打撃具の製造方法。【選択図】図１
2017217218.tif 000002
【特許請求の範囲】
【請求項１】
（１）重量及び重心を変更でき且つ遠心力を計測できる機能を有する測定用ボール打撃具を準備する工程、
（２）被験者が重量及び重心を変更しつつ前記測定用ボール打撃具を使用することにより、最大遠心力をもたらす重量及び重心を決定する工程、及び
（３）前記決定した重量及び重心に基づいて、ボール打撃具を製造する工程、
から成る、ボール打撃具の製造方法。
【請求項２】
重量及び重心を変更するための重りを取り付けることができ且つグリップエンドから２０〜５０ｃｍの範囲に歪みセンサーを備えたことを特徴とする測定用ボール打撃具。
【請求項３】
歪みセンサーにより測定された数値を表示するための表示部を含むことを特徴とする、請求項２に記載の測定用ボール打撃具。
【請求項４】
バット、ゴルフクラブ、テニスラケット、バトミントンラケット、クリケットバット及びホッケースティックから選択される、請求項２又は３に記載の測定用ボール打撃具。
【請求項５】
長さを調整するスペーサーをシャフトに取り付けることが出来るゴルフクラブである、請求項２〜４に記載の測定用ボール打撃具。
【発明の詳細な説明】
【技術分野】
【０００１】
本発明は、バットやラケット等のボール打撃具の製造方法及び当該方法で使用できる測定用のボール打撃具の発明に関する。
【背景技術】
【０００２】
バットやラケットを始めとする球技で使用するボール打撃具は、その多くが大量生産された既製品である。これら既製品であるボール打撃具を用いて球をより強くより遠くに打つためには、既製品に合わせたスイングを習得する必要がある。例えば、特許文献１は、バットに加速度センサーを取り付けて、バットをスイングした際の最大ヘッドスピードを測定し、最適なスイングを習得するための練習器具を開示している。また、特許文献２は、ヘッド部に遠心力測定器を固定し、遠心力をヘッドスピードに変換することで、最適なスイングを習得するための練習器具を開示している。  
【先行技術文献】
【特許文献】
【０００３】
【特許文献１】特開２００１−１２９１４５号公報
【特許文献２】特開２００３−７８４号公報
【発明の概要】
【発明が解決しようとする課題】
【０００４】
しかしながら、上記のような練習器具は、あくまでも既製のボール打撃具を使用した際に、打球の強さ及び／又は飛距離を伸ばすことを目的として、既製のボール打撃具に適したスイングを習得することを目的とした練習器具である。しかしながら、使用者にとっては、使用者の身体能力による従来のスイングによって最大の強さ及び／又は飛距離が得られるボール打撃具が望ましいところ、このような使用者に最適なボール打撃具を製造する技術は存在しなかった。
【課題を解決するための手段】
【０００５】
本発明者は、上記のような課題を解決すべく鋭意検討を重ねた結果、使用者にとって最大の強さ及び／又は飛距離をもたらすボール打撃具を製造する方法を見いだした。また、この方法に用いることができる測定用のボール打撃具を見いだした。
すなわち、本発明は、
［１］（１）重量及び重心を変更でき且つ遠心力を計測できる機能を有する測定用ボール打撃具を準備する工程、
（２）被験者が重量及び重心を変更しつつ前記測定用ボール打撃具を使用することにより、最大遠心力をもたらす重量及び重心を決定する工程、及び
（３）前記決定した重量及び重心に基づいて、ボール打撃具を製造する工程、
から成る、ボール打撃具の製造方法、
［２］重量及び重心を変更するための重りを取り付けることができ且つグリップエンドから２０〜５０ｃｍの範囲に歪みセンサーを備えたことを特徴とする測定用ボール打撃具、
［３］歪みセンサーにより測定された数値を表示するための表示部を含むことを特徴とする、［２］に記載の測定用ボール打撃具、
［４］バット、ゴルフクラブ、テニスラケット、バトミントンラケット、クリケットバット及びホッケースティックから選択される、［２］又は［３］に記載の測定用ボール打撃具、及び
［５］長さを調整するスペーサーをシャフトに取り付けることが出来るゴルフクラブである、［２］〜［４］に記載の測定用ボール打撃具、
に関する。
【発明の効果】
【０００６】
本発明の方法により、使用者の身体能力に即したスイングにより、最大の強さ及び／又は飛距離をもたらすボール打撃具を、容易な方法で製造可能となる。また、本発明の測定用ボール打撃具は、使用者にとって最適なボール打撃具の重量及び重心をより正確に且つ容易に決定することができる。従って、本発明の測定用ボール打撃具を用いることにより、使用者にとって最適なボール打撃具を製造するために必要なデータを、容易且つ正確に収集できる。
【図面の簡単な説明】
【０００７】
【図１】図１は、本発明の測定用ボール打撃具の一例としてのバットを示すもので、（ａ）は全体図、（ｂ）は重りを１つ嵌めたバットの全体図、（ｃ）は重りを２つ嵌めたバットの全体図、（ｄ）は重りを横から見た図、（ｅ）は重りを正面から見た図、（ｆ）は重りのバリエーションを示す図
【図２】図２は、表示部を備えたバットを示すもので、（ａ）は全体図、（ｂ）は表示部の拡大図
【図３】図３は、本発明の測定用ボール打撃具の一例である図１とは異なるバットを示すもので、（ａ）は全体図、（ｂ）は重りを嵌めたバットの全体図、（ｃ）は表示部を備えたバットの全体図
【図４】図４は、本発明の測定用ボール打撃具の一例としてのゴルフクラブを示すもので、（ａ）は全体図、（ｂ）は横から見たボール打撃部の拡大図、（ｃ）は上から見たボール打撃部の拡大図、（ｄ）は重りを備えたボール打撃部の横から見た拡大図、（ｅ）は重りを横から見た図、（ｆ）は重りを正面から見た図、（ｇ）は接続シャフトを用いてゴルフクラブの長さを変更する態様を示す図
【図５】図５は、表示部を備えたゴルフクラブを示す図
【図６】図６は、本発明の測定用ボール打撃具の一例としてのラケットを示すもので、（ａ）は全体図、（ｂ）はウェイトロープの全体図、（ｃ）はウェイトロープを巻き付けたラケットの全体図
【図７】図７は、表示部を備えたラケットを示す図
【図８】図８は、本発明の測定用ボール打撃具の一例としてのクリケットバットを示すもので、（ａ）は全体図、（ｂ）は重りを取り付けたクリケットバットの全体図
【図９】図９は、表示部を備えたクリケットバットを示す図
【図１０】図１０は、本発明の測定用ボール打撃具の一例としてのホッケースティックを示すもので、（ａ）は全体図、（ｂ）は重りを取り付けたホッケースティックの全体図
【図１１】図１１は、表示部を備えたホッケースティックの全体図
【符号の説明】
【０００８】
１  バット本体
２  ボール打撃部
３  グリップ部
３１  グリップエンド
３２  ねじ
４  歪みセンサー
５  重り
５１  重りの内径
５２  重りの厚み
５３  大きさの異なる複数の重り
６  表示部
６１  計算部
６２  液晶部
７  接続部
８  ゴルフクラブ本体
９  シャフト
９１  ねじ穴
１０  ボルト
１１  空洞
１２  ナット
１３  接続シャフト
１３１  ねじ穴
１３２  ねじ
１４  ラケット本体
１５  ウェイトロープ
１６  クリケットバット本体
１７  ホッケースティック本体
【発明を実施するための形態】
【０００９】
ボール打撃具の製造方法
本発明におけるボール打撃具の製造方法は、
（１）重量及び重心を変更でき且つ遠心力を計測できる機能を有する測定用ボール打撃具を準備する工程（第一工程）、
（２）被験者が重量及び重心を変更しつつ前記測定用ボール打撃具を使用することにより、最大遠心力をもたらす重量及び重心を決定する工程（第二工程）、及び
（３）前記決定した重量及び重心に基づいて、ボール打撃具を製造する工程（第三工程）、
から成る。
【００１０】
第一工程
第一工程は、重量及び重心を変更でき且つ遠心力を計測できる機能を有する測定用ボール打撃具を準備する工程である。ここで、本発明における「ボール打撃具」とは、球技においてボールを打つために使用される道具を意味する。本発明におけるボール打撃具の具体例は、バット、ゴルフクラブ、テニスラケット、バトミントンラケット、クリケットバット及びホッケースティック等が挙げられる。「測定用ボール打撃具」の具体例として、任意の場所に重りをつけることができ、且つ遠心力を測定するためのセンサー、例えばロードセル等が備えられたボール打撃具が挙げられる。より具体的な「測定用ボール打撃具」として、例えば、後述するような測定用ボール打撃具が使用できる。
【００１１】
第二工程
第二工程は、被験者が重量及び重心を変更しつつ前記測定用ボール打撃具を使用することにより、最大遠心力をもたらす重量及び重心を決定する工程である。より強い打球を得るためには、ボール打撃具のボールに与える衝撃力が強くなければならない。衝撃力は、（ボール打撃具の質量）×（スイング速度）÷（球との衝突時間）の公式により得ることができる。使用者はボール打撃部を手で握ってボール打撃具を使用する。ボール打撃具の遠心力は使用者の体重で支えられているため、遠心力を支える使用者の体重もボール打撃具の質量に加算される。従って、使用者に最大の遠心力をもたらすことができるボール打撃具の重量及び重心がわかれば、使用者にとって最適な、言い換えれば、使用者の通常のスイングによって最大の強さ及び／又は飛距離をもたらすボール打撃具が製造できる。第二工程は、最大の遠心力をもたらす重量及び重心がわかるまで、繰り返し行って良い。また、繰り返しの回数を決めて（例えば、２０回）、規定の回数の中で一番高い遠心力をもたらした重量及び重心を、最大の遠心力をもたらす重量及び重心としても良い。
【００１２】
第三工程
第三工程は、前記最大遠心力を計測できる重量及び重心に基づいて、ボール打撃具を製造する工程である。第二工程によって得られた重量及び重心のデータに基づいて、ボール打撃具を製造する。ボール打撃具の製造は、第二工程で得られた重量及び重心のデータ通りにボール打撃具を製造できる方法であることを条件に、従来からボール打撃具を製造するために利用されるいかなる方法も利用可能である。
【００１３】
測定用ボール打撃具
本発明の測定用ボール打撃具は、前記本発明の方法の第一工程及び第二工程における測定用ボール打撃具として使用できる。以下に、本発明の測定用ボール打撃具の実施の形態について、図面を用いて説明する。
【００１４】
（実施形態１）
図１（ａ）は、本発明の測定用ボール打撃具の一態様として、バットの一例を説明する図である。バット本体１は、ボール打撃部２と、グリップ部３から成る。ボール打撃部２の先端の直径は、グリップ部３側の直径と比べて大きくなっている。言い換えれば、ボール打撃部２の直径は、グリップ部３側からボール打撃部２の先端に向けて広がっている。グリップ部３には、歪みセンサー４が備えられている。歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３又はボール打撃部２のいずれでも良い。歪みセンサー４の取り付け位置を前記の箇所とすることにより、後述のように、遠心力をより容易に且つ正確に測定できる。グリップ部３の長さは、被験者がグリップ部３を握る箇所を変更することにより重心を変更できるようにするため、標準〜比較的長く、例えば３０〜４０ｃｍとすることが好ましい。また、グリップ部３には、被験者が握った箇所を分かり易くするため目盛りを施すことが好ましい（図示せず）。
【００１５】
被験者がグリップ部３を握り、バット本体１をスイングすることにより遠心力が生じる。生じた遠心力により、バット本体１に歪みが生じる。歪みセンサー４を前記位置に取り付けることにより、正確に前記歪みの程度を数値として測定できる。歪みセンサー４により測定された歪みの数値が、遠心力の数値に対応する。歪みセンサー４により計測された遠心力の数値は、外部の表示装置に有線又は無線により送信されてもよく、また、後述のようにバット本体１に備えられた表示部６により表示されても良い。また、歪みセンサー4を用いることにより、遠心力だけでなく、被験者によるバット本体１のスイング時間やスイングスピードを計測することもできる。
【００１６】
図１（ｂ）は、本発明のバット本体１に重り５を１つ取り付け、バット本体１の重量及び重心を変更した際の態様を示す図である。バット本体１に取り付けられる重り５の数は１つに限られず、複数、例えば図１（ｃ）のように２つ取り付けても良い。前述の通り、ボール打撃部２の直径は、グリップ部３側からボール打撃部２の先端に向けて大きくなっている。重り５は、図１（ｄ）及び（ｅ）に示すように、短い筒状の重りである。重り５の内径５１は、ボール打撃部２の任意の箇所における外径と同じ大きさであり、重り５がボール打撃部２の任意の箇所でとどまるようになっている。重り５がグリップ部３の端から入って任意の箇所でとどまることにより、バット本体１の重量及び重心を変更できる。尚、重り５の厚さ５２は、例えば、被験者がバット本体１を用いてボールを打つ様な場合に、ボールが意図せぬ方向に飛ぶことを防ぐために、可能な限り薄くすることがより好ましい。具体的には、厚さ５２は、１〜５mmの範囲であることが好ましい。また、重り５は、横から見た際に、ボール打撃部２の傾斜角と同じ傾斜角を有することが好ましい。重り５がボール打撃部２に取り付けられた位置を明確に把握することを目的として、ボール打撃部に目盛りを振ることもできる（図示せず）。様々な重さで且つボール打撃部２の様々な箇所でとどめることができるように、複数の重り５を準備することが好ましい。例えば、図１（ｆ）に示すように、テーパー管を任意の大きさ及び重さになるように切った複数の重り５３を準備しても良い。
【００１７】
（実施形態２）
図２は、前記バットに、表示部を備えた場合の一態様を示す図である。図２（ａ）において、グリップ部３の端に表示部６が備えられている。しかしながら、表示部６が備えられる箇所はグリップ部３の端に限られない。表示部６は、被験者がバット本体１を使用する際、具体的にはグリップ部３を握って、ボール打撃部２でボールを打つ際に邪魔にならない箇所であれば、任意の箇所に備えることができる。
グリップ部３の内部には、必要に応じて、図２（ａ）に示すように、歪みセンサー４に接続された計算部６１を備えても良い。計算部６１は、歪みセンサー４を用いてスイング時間及び／又はスイングスピードを測定している場合、歪みセンサー４で採取したデータを時間及び／又はスイングスピードに変換する。計算部６１は、表示部６に接続されている。表示部６は、図２（ｂ）に示すように、数字を表示する液晶部６２を有しており、歪みセンサー４により測定された遠心力、並びに計算部６１によって計算されたスイング時間及び／又はスイングスピードを表示する。
【００１８】
（実施形態３）
図３（ａ）は、本発明の測定用ボール打撃具であるバットの別態様を示す図である。図１（ａ）のボール打撃部２は、ボール打撃部２の先端からグリップ部３に向けて直径が小さくなっていた。本形態におけるボール打撃部２の直径は、ボール打撃部全体にわたって均一である。一方で、ボール打撃部２の直径は、一般的に、グリップ部３の直径よりも大きいため、ボール打撃部２とグリップ部３を接続するための接続部７が設けられている。
歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３、接続部７又はボール打撃部２のいずれでも良い。
重り５は、ボール打撃部２の直径が均一であるため、例えば、伸縮性のバンドやマジックテープ（登録商標）を用いて、ボール打撃部２につけることができる。
図３（ｃ）は、表示部６の取り付け位置を、実施形態２から変更した態様を示している。
上記の他は、実施形態１及び２と同様である。
【００１９】
（実施形態４）
図４は、本発明の測定用ボール打撃具の一態様として、ゴルフクラブの一例を説明する図である。
図４（ａ）は、ゴルフクラブの全体図を表す。ゴルフクラブ本体８は、ボール打撃部２、グリップ部３、グリップ部３に備えられた歪みセンサー４並びにボール打撃部２とグリップ部３とを接続するシャフト９から成る。歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３又はシャフト９のいずれでも良い。
【００２０】
ゴルフクラブ本体８におけるボール打撃部２は、図４（ｂ）〜（ｄ）に示すように、中に重り５を収容できる空洞１１が設けられている。空洞１１には、重りをはめ込むためのボルト１０が設けられている。本態様における重り５は、図４（ｆ）に示すように中央にボルト１０と略嵌合する穴５４が開けられている。ゴルフクラブ本体８の重量を変更する場合、任意の重さ及び大きさの重り５の１枚又は２枚以上を、穴５４を介してボルト１０にはめ込み、その上からナット１２で締めることによって固定する。
また、ゴルフクラブ本体８の長さを変更して、ゴルフクラブ本体８の重心を変更する場合には、例えば以下のように変更することができる。グリップ部３とシャフト９とを図４（ｇ）に示すように、ねじによって接続しておく。ゴルフクラブ本体８を長くするときには、一旦グリップ部３をシャフト９から取り外し、任意の長さを有する接続シャフト１３を挟み込む。接続シャフト１３は、グリップ部３のねじ３２と嵌合するねじ穴１３１及びシャフト９のねじ穴９１と嵌合するねじ１３２を有している。接続シャフト１３は、前記ねじ穴１３１及びねじ１３２を介して、グリップ部３とシャフト９とを接続し、且つゴルフクラブ本体８の全長をより長くすることができる。このような接続シャフトは、任意の長さのものを複数用意することにより、被験者が望む長さでゴルフクラブ本体８を使用して、遠心力を測定することができる。
【００２１】
（実施形態５）
図５は、実施形態４のゴルフクラブに表示部を備えた態様を示す図である。ゴルフクラブ本体８のグリップ部３に表示部６が備えられている。しかしながら、表示部６が備えられる箇所はグリップ部３の図示した箇所に限られない。表示部６は、被験者がゴルフクラブ本体８を使用する際、具体的にはグリップ部３を握って、ボール打撃部２でボールを打つ際に邪魔にならない箇所であれば、任意の箇所に備えることができる。
表示部６が、数字を表示する液晶部６２を有していること、グリップ部３内部に計算部６１を備えて良いこと並びに歪みセンサー４により測定された遠心力及び測定されている場合にはスイング時間及び／又はスイングスピードが液晶部６２に表示される点については、実施形態２の場合と同様である。
【００２２】
（実施形態６）
図６は、本発明の測定用ボール打撃具の一態様として、ラケットの一例を説明する図である。ラケット本体１４は、ボール打撃部２、接続部７、グリップ部３及びグリップ部３に備えられた歪みセンサー４を含む。歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３、接続部７又はボール打撃部２のいずれでも良い。
ラケット本体１４の重量及び重心を変更する場合には、ボール打撃部のフレームにおける任意の箇所に、任意の重量を有するウェイトロープ１５を巻き付けることにより変更できる（図６（ｃ）参照）。ここで、ウェイトロープ１５とは、１０〜３０ｃｍの長さ及び５〜５０ｇの重さを有する紐状の重りである。グリップ部３は、被験者がグリップ部３を握る箇所を変更することにより重心を変更できるようにするため、長さを標準〜比較的長く、例えば２５〜３５ｃｍとすることが好ましい。尚、グリップ部３に目盛りを施すことができる点は、実施形態１と同様である。
【００２３】
（実施形態７）
図７は、実施形態６のラケットのグリップ部に、表示部６を備えた態様を図示する図である。表示部６の設置箇所が図７に示された箇所に限定されないことは前記各実施形態の場合と同じである。また、表示部６が、数字を表示する液晶部６２を有していること、グリップ部３内部に計算部６１を備えて良いこと並びに歪みセンサー４により測定された遠心力及び測定されている場合にはスイング時間及び／又はスイングスピードが液晶部６２に表示される点については、実施形態２の場合と同様である。
【００２４】
（実施形態８）
図８は、本発明の測定用ボール打撃具の一態様として、クリケットバットの一例を説明する図である。クリケットバット本体１６は、ボール打撃部２、グリップ部３及びグリップ部３に備えられた歪みセンサー４を含む。歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３又はボール打撃部２のいずれでも良い。
クリケットバット本体１６の重量及び重心を変更する場合には、ボール打撃部２の任意の箇所に、任意の重量を有する重り５を伸縮性のバンドやマジックテープ（登録商標）を用いて取り付けることにより変更できる（図８（ｂ）参照）。グリップ部３は、被験者がグリップ部３を握る箇所を変更することにより重心を変更できるようにするため、長さを標準〜比較的長く、例えば３０〜４０ｃｍとすることが好ましい。尚、グリップ部３に目盛りを施すことができる点は、実施形態１と同様である。
【００２５】
（実施形態９）
図９は、実施形態８クリケットバットのグリップ部に、表示部６を備えた態様を図示する図である。表示部６の設置箇所が図９に示された箇所に限定されないことは前記各実施形態の場合と同じである。また、表示部６が、数字を表示する液晶部６２を有していること、グリップ部３内部に計算部６１を備えて良いこと並びに歪みセンサー４により測定された遠心力及び測定されている場合にはスイング時間及び／又はスイングスピードが液晶部６２に表示される点については、実施形態２の場合と同様である。
【００２６】
（実施形態１０）
図１０は、本発明の測定用ボール打撃具の一態様として、ホッケースティックの一例を説明する図である。ホッケースティック本体１７は、ボール打撃部２、接続部７、グリップ部３及びグリップ部３に備えられた歪みセンサー４を含む。歪みセンサー４の取り付け位置は、グリップエンド３１から２０〜５０ｃｍ、好ましくは２５〜４５ｃｍ、より好ましくは３０〜４０ｃｍの範囲である。歪みセンサー４の取り付け位置は、前記の範囲であれば、グリップ部３又は接続部７のいずれでも良い。
ホッケースティック本体１７の重量及び重心を変更する場合には、ボール打撃部の任意の箇所に、任意の重量を有する重り５を、伸縮性のバンドやマジックテープ（登録商標）を用いて取り付けることにより変更できる（図１０（ｂ）参照）。グリップ部３は、被験者がグリップ部３を握る箇所を変更することにより重心を変更できるようにするため、長さを標準〜比較的長く、例えば３０〜４０ｃｍとすることが好ましい。尚、グリップ部３に目盛りを施すことができる点は、実施形態１と同様である。
【００２７】
（実施形態１１）
図１１は、実施形態１０のクリケットバットに表示部６を備えた態様を説明する図である。表示部６の設置箇所が図１１に示された箇所に限定されないことは前記各実施形態の場合と同じである。また、表示部６が、数字を表示する液晶部６２を有していること、グリップ部３内部に計算部６１を備えて良いこと並びに歪みセンサー４により測定された遠心力及び測定されている場合にはスイング時間及び／又はスイングスピードが液晶部６２に表示される点については、実施形態２の場合と同様である。
【００２８】
（実施形態１２）
実施形態１のバットを用いて、本発明の方法によるボール打撃具の製造方法を実施する態様を説明する。
第一工程
前記第一工程における、「重量及び重心を変更でき且つ遠心力を計測できる機能を有する測定用ボール打撃具」として、実施形態１のバットを準備する。
【００２９】
第二工程
被験者が実施形態２のバット本体１におけるグリップ部３を握り、バット本体１をスイングする。被験者がスイングすることにより、歪みセンサー４によって歪みの数値が測定され、測定された遠心力が液晶部６２に表示される。被験者が、グリップ部３を握る位置、及び重り５の重さや取り付け位置を種々変更しつつ、スイングを行うことにより、最大の遠心力を計測できる握り位置、重り５の重さ、重り５の取り付け位置を決定する。これによって、被験者にとっての最大遠心力を計測できる、バットの重量及び重心がわかる。
【００３０】
第三工程
第二工程により判明した、被験者にとっての最大遠心力を計測できる重量及び重心に基づいてボール打撃具を製造する。これにより、被験者にとって最大の打球の強さ及び／又は飛距離をもたらすバットを得ることができる。
【産業上の利用可能性】
【００３１】
本発明の方法により、使用者それぞれの身体能力に合わせた、最適なボール打撃具を提供することが可能となる。又、本発明のボール打撃具によって、前記方法をより容易且つ確実に実施することができる。
【図１】
2017217218.tif 000003
【図２】
2017217218.tif 000004
【図３】
2017217218.tif 000005
【図４】
2017217218.tif 000006
【図５】
2017217218.tif 000007
【図６】
2017217218.tif 000008
【図７】
2017217218.tif 000009
【図８】
2017217218.tif 000010
【図９】
2017217218.tif 000011
【図１０】
2017217218.tif 000012
【図１１】
2017217218.tif 000013
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
（１）重量及び重心を変更でき且つ遠心力を計測できる機能を有する測定用ボール打撃具を準備する工程、
（２）被験者が重量及び重心を変更しつつ前記測定用ボール打撃具を使用することにより、最大遠心力をもたらす重量及び重心を決定する工程、及び
（３）前記決定した重量及び重心に基づいて、ボール打撃具を製造する工程、
から成る、ボール打撃具の製造方法。
【請求項２】
重量及び重心を変更するための重りを取り付けることができ且つグリップエンドから２０〜５０ｃｍの範囲に歪みセンサーを備えたことを特徴とする遠心力測定用ボール打撃具。
【請求項３】
歪みセンサーにより測定された数値を表示するための表示部を含むことを特徴とする、請求項２に記載の測定用ボール打撃具。
【請求項４】
バット、ゴルフクラブ、テニスラケット、バトミントンラケット、クリケットバット及びホッケースティックから選択される、請求項２又は３に記載の測定用ボール打撃具。
【請求項５】
長さを調整するスペーサーをシャフトに取り付けることが出来るゴルフクラブである、請求項２〜４に記載の測定用ボール打撃具。
【手続補正２】
【補正対象書類名】明細書
【補正対象項目名】００２７
【補正方法】変更
【補正の内容】
【００２７】
（実施形態１１）
図１１は、実施形態１０のホッケースティックに表示部６を備えた態様を説明する図である。表示部６の設置箇所が図１１に示された箇所に限定されないことは前記各実施形態の場合と同じである。また、表示部６が、数字を表示する液晶部６２を有していること、グリップ部３内部に計算部６１を備えて良いこと並びに歪みセンサー４により測定された遠心力及び測定されている場合にはスイング時間及び／又はスイングスピードが液晶部６２に表示される点については、実施形態２の場合と同様である。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
重量及び重心を変更するための重りを取り付けることができ且つグリップエンドから２０〜５０ｃｍの範囲に歪みセンサーを備えたことを特徴とする遠心力測定用ボール打撃具。
【請求項２】
歪みセンサーにより測定された数値を表示するための表示部を含むことを特徴とする、請求項１に記載の遠心力測定用ボール打撃具。
【請求項３】
バット、ゴルフクラブ、テニスラケット、バトミントンラケット、クリケットバット及びホッケースティックから選択される、請求項１又は２に記載の遠心力測定用ボール打撃具。
【請求項４】
長さを調整するスペーサーをシャフトに取り付けることが出来るゴルフクラブである、請求項１〜３に記載の遠心力測定用ボール打撃具。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
重量及び重心を変更するための重りを取り付けることができ且つグリップエンドから２０〜５０ｃｍの範囲に歪みセンサーを備え、前記歪みセンサーが歪みの数値を測定し、前記歪みの数値が遠心力の数値に対応することを特徴とするボール打撃具。
【請求項２】
歪みセンサーにより測定された数値を表示するための表示部を含むことを特徴とする、請求項１に記載のボール打撃具。
【請求項３】
バット、ゴルフクラブ、テニスラケット、バトミントンラケット、クリケットバット及びホッケースティックから選択される、請求項１又は２に記載のボール打撃具。
【請求項４】
長さを調整するスペーサーをシャフトに取り付けることが出来るゴルフクラブである、請求項１〜３のいずれか１項に記載のボール打撃具。